(57)【要約】【課題】  キャップの紛失などをなくし得るようにする。【解決手段】  車両の内装パネルに固定される本体ケーシング２に対して、飲料容器３を保持可能な引出部４を突出収納自在に設けたカップホルダ装置であって、引出部４に飲料容器３のキャップ１０を保持可能なキャップホルダ部１１を設けるようにしている。【選択図】        図１
2006298219.tif 000002
【特許請求の範囲】
【請求項１】
車両の内装パネルに固定される本体ケーシングに対して、飲料容器を保持可能な引出部を突出収納自在に設けたカップホルダ装置において、引出部に飲料容器のキャップを保持可能なキャップホルダ部を設けたことを特徴とするカップホルダ装置。
【発明の詳細な説明】
【技術分野】
【０００１】
この発明は、カップホルダ装置に関するものである。
【背景技術】
【０００２】
自動車などの車両には、車室内にインストルメントパネルやクラスターパネルなどの内装パネルが設けられている。このような内装パネルに対し、カップホルダ装置を取付けたものがある。
【０００３】
上記カップホルダ装置には、内装パネルに固定される本体ケーシングに対して、飲料容器を保持可能な引出部を突出収納自在に設けた引出式のものが存在する（例えば、特許文献１参照）。
【特許文献１】特開平６−２７８５１９号公報
【発明の開示】
【発明が解決しようとする課題】
【０００４】
近年、キャップの開閉によって自由に飲んだり持ち運んだりすることのできるペットボトルが飲料容器として多く使用されているが、このようなペットボトルをカップホルダ装置に保持する場合、キャップを開けっ放しにすることが多い。しかし、従来のカップホルダ装置では、キャップの置き場が設定されていないので、キャップの置き場に困るという問題や、キャップを紛失するおそれがあるという問題が存在していた。
【課題を解決するための手段】
【０００５】
上記課題を解決するために、請求項１に記載された発明では、車両の内装パネルに固定される本体ケーシングに対して、飲料容器を保持可能な引出部を突出収納自在に設けたカップホルダ装置において、引出部に飲料容器のキャップを保持可能なキャップホルダ部を設けたカップホルダ装置を特徴としている。
【発明の効果】
【０００６】
請求項１の発明によれば、引出部に設けたキャップホルダ部に飲料容器のキャップを保持させることにより、キャップを定位置に置くことができるようになり、キャップの紛失を防ぐことができる。
【発明を実施するための最良の形態】
【０００７】
キャップの紛失などをなくすという目的を、引出部に飲料容器のキャップを保持可能なキャップホルダ部を設ける、という手段で実現した。
【実施例】
【０００８】
以下、本発明を具体化した実施例について、図示例と共に説明する。
【０００９】
図１〜図８は、この発明の実施例を示すものである。
【００１０】
まず、構成を説明すると、自動車などの車両には、車室内にインストルメントパネルやクラスターパネルなどの内装パネルが設けられている。このような内装パネルに対し、カップホルダ装置１を取付ける。
【００１１】
上記カップホルダ装置１は、例えば、上記内装パネルに固定される本体ケーシング２に対して、飲料容器３を保持可能な引出部４を突出収納自在に設けた引出式のものである。
【００１２】
本体ケーシング２は、図示しない内装パネルに設けた開口部の裏面側に、その開口部５を位置合せした状態で取付けられる。引出部４は、先端部に内装パネルの表面と略面一となるように取付けられた化粧部材６を備えると共に、中間部に飲料容器３を収容可能な飲料容器保持孔７を有している。この飲料容器保持孔７には飲料容器３の側部を保持する可動フラップ８などが設けられている。また、飲料容器保持孔７の下方には図示しない飲料容器底部支持部なども昇降自在に備えている。
【００１３】
この実施例のものでは、引出部４に飲料容器３のキャップ１０を保持可能なキャップホルダ部１１を設ける。
【００１４】
より具体的には、キャップホルダ部１１として、図１、図２に示すように、引出部４の飲料容器保持孔７よりも手前側の片側部分に、キャップ１０を立てた（軸線を水平にした）状態で差込む略半円筒状のキャップ収容孔１５を設けても良い。なお、キャップ収容孔１５は、キャップ１０の外径と略同じ径寸法を有している。
【００１５】
または、キャップホルダ部１１として、図３に示すように、引出部４の飲料容器保持孔７よりも手前側の片側部分に、キャップ１０を水平にした状態で内嵌可能な円形のキャップ収容孔１６を設けても良い。この場合、キャップ収容孔１６の深さによって、キャップ収容孔１６の両側部に摘み用凹部１７を形成しても良い。なお、キャップ収容孔１６は、キャップ１０の外径と略同じ径寸法を有している。
【００１６】
或いは、キャップホルダ部１１として、図４に示すように、引出部４の飲料容器保持孔７よりも手前側の片側部分に、キャップ１０を水平にした状態で外嵌可能な円柱状のキャップ保持用凸部１８を設けても良い。なお、キャップ保持用凸部１８は、キャップ１０の内径と略同じ径寸法を有している。また、この場合には、本体ケーシング２に対し、キャップ保持用凸部１８との干渉防止用の逃げを設けるようにする。
【００１７】
または、キャップホルダ部１１として、図５〜図７に示すように、引出部４の飲料容器保持孔７よりも手前側の片側部分に、キャップ１０を水平にした状態で複数の爪２０を用いて把持可能なキャップ把持プレート１９を取付けても良い。また、この場合には、本体ケーシング２に対し、キャップ把持プレート１９との干渉防止用の逃げを設けるようにする。
【００１８】
このキャップ把持プレート１９は、図５に示すように、別体のネジ２１を用いて引出部４に固定されるようにしても、図６に示すように、一体形成したネジ２２を用いて引出部４に固定されるようにしても、図７に示すように、一体形成した割爪２３を用いてワンタッチで差込固定できるようにしても良い。図５のキャップ把持プレート１９は、金属板または樹脂によって形成される。図６、図７のネジ２２や割爪２３を一体形成したキャップ把持プレート１９は、樹脂によって形成される。
【００１９】
或いは、キャップホルダ部１１として、図８に示すように、化粧部材６の表面に、キャップ１０を水平にした状態で差込む略半円筒状のキャップ収容孔２４を設けても良い。なお、キャップ収容孔２４は、キャップ１０の外径と略同じ径寸法を有している。
【００２０】
次に、この実施例の作用について説明する。
【００２１】
先ず、本体ケーシング２に対して引出部４を突出させることにより、飲料容器保持孔７に飲料容器３を保持させることが可能となる。
【００２２】
反対に、本体ケーシング２に対して引出部４を収納することにより、引出部４先端部の化粧部材６を内装パネルと面一の状態にすることができる。
【００２３】
この実施例では、飲料容器保持孔７に飲料容器３を保持させる場合に、引出部４に設けたキャップホルダ部１１に飲料容器３のキャップ１０を保持させることにより、キャップ１０を定位置に置くことができるようになり、キャップ１０の紛失を防ぐことができる。
【００２４】
この際、飲料容器保持孔７よりも手前側の片側部分にキャップホルダ部１１を設けることにより、キャップ１０を見える位置で且つ邪魔にならない位置に置いておくことが可能となり、利便性が良い。
【００２５】
特に、キャップホルダ部１１として、図１、図２に示すように、引出部４の飲料容器保持孔７よりも手前側の片側部分に、キャップ１０を立てた（軸線を水平にした）状態で差込む略半円筒状のキャップ収容孔１５を設けた場合には、より少ないスペースでキャップ１０を保持することが可能となると共に、キャップ１０を容易に取出すことができる。
【００２６】
または、キャップホルダ部１１として、図３に示すように、引出部４の飲料容器保持孔７よりも手前側の片側部分に、キャップ１０を水平にした状態で内嵌可能な円形のキャップ収容孔１６を設けた場合には、キャップ１０を目立たない状態で保持させることが可能となる。なお、キャップ収容孔１６の両側部に摘み用凹部１７を形成することにより、キャップ１０の取出しを容易化することができる。
【００２７】
或いは、キャップホルダ部１１として、図４に示すように、引出部４の飲料容器保持孔７よりも手前側の片側部分に、キャップ１０を水平にした状態で外嵌可能な円柱状のキャップ保持用凸部１８を設けた場合には、最も容易にキャップ１０を着脱することが可能となる。
【００２８】
または、キャップホルダ部１１として、図５〜図７に示すように、引出部４の飲料容器保持孔７よりも手前側の片側部分に、キャップ１０を水平にした状態で複数の爪２０を用いて把持するキャップ把持プレート１９を取付けた場合には、最も確実にキャップ１０を保持させることが可能となる。
【００２９】
このキャップ把持プレート１９は、図５に示すように、別体のネジ２１を用いて引出部４に固定されるようにすることも、図６に示すように、一体形成したネジ２２を用いて引出部４に固定されるようにすることも、図７に示すように、一体形成した割爪２３を用いてワンタッチで固定できるようにすることもできる。図５の場合には、キャップ把持プレート１９をより強固に引出部４に取付けることができる。図６の場合には、部品数と取付工数を減らすことができる。図７の場合には、ワンタッチ取付けが可能となる。
【００３０】
或いは、キャップホルダ部１１として、図８に示すように、化粧部材６の表面に、キャップ１０を水平にした状態で差込む略半円筒状のキャップ収容孔２４を設けた場合には、引出部４を引出さなくてもキャップ１０を保持することが可能となると共に、キャップ１０を容易に取出すことができる。
【００３１】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００３２】
【図１】本発明の実施例の全体斜視図である。
【図２】キャップホルダ部の第１の例を示す部分拡大斜視図である。
【図３】キャップホルダ部の第２の例を示す部分拡大斜視図である。
【図４】キャップホルダ部の第３の例を示す部分拡大斜視図である。
【図５】キャップホルダ部の第４の例を示す部分拡大斜視図である。
【図６】図５の取付部分の変形例を示す側面図である。
【図７】図５の取付部分の別の変形例を示す側面図である。
【図８】キャップホルダ部の第５の例を示す部分拡大斜視図である。
【符号の説明】
【００３３】
２    本体ケーシング
３    飲料容器
４    引出部
１０  キャップ
１１  キャップホルダ部
【図１】
2006298219.tif 000003
【図２】
2006298219.tif 000004
【図３】
2006298219.tif 000005
【図４】
2006298219.tif 000006
【図５】
2006298219.tif 000007
【図６】
2006298219.tif 000008
【図７】
2006298219.tif 000009
【図８】
2006298219.tif 000010